(57)【要約】【課題】メンテナンス時に水滴が飛散しても破損し難いイオン発生装置及びイオン照射装置を得る。【解決手段】イオン発生装置（１１）の筐体（２１）内に設けられた風路（３１）は、イオン発生部（２５）が配されている箇所から吹き出し口（２１ｄ）に至る経路に、気流の向きが第１の向きとなるように延伸する延伸部（３１ｄ）と、第１の向きを構成する成分とは逆向きの成分を有する第２の向きとなるように延伸する屈曲部（３１ｃ）とを含む。【選択図】図１
2015201277.tif 000002
【特許請求の範囲】
【請求項１】
筐体と、
上記筐体内に設けられ、イオンを発生させるイオン発生部と、
上記イオン発生部から発生させたイオンを、上記筐体外に放出する風路とを備え、
上記風路における、上記イオン発生部が配されている箇所から上記風路内を流れる気流の出口である吹き出し口に至る経路は、
上記風路内の上記気流の向きが、第１の向きとなるように延伸する第１経路と、当該第１の向きを構成する成分とは逆向きの成分を有する第２の向きとなるように延伸する第２経路とを含むことを特徴とするイオン発生装置。
【請求項２】
上記風路における、上記イオン発生部が配されている箇所から上記吹き出し口に至る経路は、
上記吹き出し口から上記イオン発生部が配されている箇所にかけて順に接続されている上記第１経路、上記第２経路、および第３経路を有し、
上記第２経路は、径方向に対向する両側面を有し、当該両側面の一端で上記第３経路と曲がって接続されており、他端で上記第１経路と曲がって接続されており、
上記両側面の一方の側面における上記一端と、他方の側面における他端とを結ぶ直線は、上記第２経路の径方向の中心を通り上記第１の向きに垂直に交わる中心線に対し傾斜していることを特徴とする請求項１に記載のイオン発生装置。
【請求項３】
上記第２経路は、上記第１経路および第３経路と、湾曲して接続されていることを特徴とする請求項２に記載のイオン発生装置。
【請求項４】
上記風路における、上記イオン発生部が配されている箇所から上記吹き出し口に至る経路は、上記第１経路および上記第２経路を含む螺旋形の経路を含むことを特徴とする請求項１に記載のイオン発生装置。
【請求項５】
請求項１〜４の何れか１項に記載のイオン発生装置と、
上記イオン発生装置が配され、内部に、上記イオンを照射する対象物を格納するための格納部と、を備えていることを特徴とするイオン照射装置。
【発明の詳細な説明】
【技術分野】
【０００１】
本発明はイオン発生装置およびイオン照射装置に関する。
【背景技術】
【０００２】
従来から、イオンには除菌効果があることが知られている。特許文献１では、イオン発生装置を浴室の壁に設けている。そして、当該イオン発生装置で発生させた正イオンおよび負イオンを浴室内に送ることで、当該浴室内におけるカビの繁殖を防止することが開示されている。
【０００３】
さらに、特許文献２では、食肉等の食品を載置するための多段の棚を有するコンテナの側壁等であって、当該コンテナの棚に載置された食品を囲むように、複数のイオン発生装置を配している。そして、イオン発生装置で発生させた正イオン及び負イオンを、当該食品に直接吹きかけている。これにより、当該食品の菌の増殖を抑制したり、当該食品の消費期限を延ばしたりすることが記載されている。
【先行技術文献】
【特許文献】
【０００４】
【特許文献１】特開２００３‐１５６２２０号公報（２００３年５月３０日公開）
【特許文献２】特願２０１３‐１７８２９３号（２０１３年８月２９日出願）
【発明の概要】
【発明が解決しようとする課題】
【０００５】
特許文献２のように、食品等を載置するためのコンテナにイオン発生装置を設ける場合、メンテナンスのため、当該コンテナ内部を頻繁に水洗いする必要がある。
【０００６】
通常、イオン発生装置は、正イオンおよび負イオンを発生させるためのイオン発生部を筐体内に有し、当該イオン発生部で発生させたイオンを、筐体の側壁に設けられた吹き出し口から、筐体の外部へ放出する。
【０００７】
特許文献２に記載されたコンテナにイオン発生装置を取り付けたまま、当該コンテナ内部をメンテナンスのために水洗いすると、正イオンおよび負イオンの吹き出し口からイオン発生装置の筐体内部に水滴や洗剤が進入し、筐体内部のイオン発生部にも水滴や洗剤が付着する可能性がある。
【０００８】
イオン発生部は、正イオンおよび負イオンを発生させるための基板及び電極を有し、当該電極に、比較的高電圧が印加され、放電することでイオンを発生させる。このイオン発生部に水滴が付着すると、破損の原因となる。
【０００９】
本発明は、上記の問題点を解決するためになされたもので、その目的は、メンテナンス時に水滴が飛散しても破損し難いイオン発生装置およびイオン照射装置を提供することである。
【課題を解決するための手段】
【００１０】
上記の課題を解決するために、本発明の一態様に係るイオン発生装置は、筐体と、上記筐体内に設けられ、イオンを発生させるイオン発生部と、上記イオン発生部から発生させたイオンを、上記筐体外に放出する風路とを備え、上記風路における、上記イオン発生部が配されている箇所から上記風路内を流れる気流の出口である吹き出し口に至る経路は、上記風路内の上記気流の向きが、第１の向きとなるように延伸する第１経路と、当該第１の向きを構成する成分とは逆向きの成分を有する第２の向きとなるように延伸する第２経路とを含むことを特徴とする。
【発明の効果】
【００１１】
本発明の一態様によれば、メンテナンス時に水滴が飛散しても破損し難いイオン発生装置およびイオン照射装置を得ることができるという効果を奏する。
【図面の簡単な説明】
【００１２】
【図１】実施形態１に係るイオン発生装置の構成を表す図である。
【図２】実施形態１に係るイオン照射装置の斜視図である。
【図３】実施形態１に係るイオン照射装置における側壁の断面図である。
【図４】実施形態１の変形例に係るイオン発生装置の構成を表す断面図である。
【図５】実施形態２に係るイオン発生装置の構成を表す図である。
【図６】実施形態３に係るイオン発生装置の構成を表す図である。
【図７】実施形態４に係るイオン発生装置の構成を概略的に表し、（ａ）は上記イオン発生装置の横断面図であり、（ｂ）は上記イオン発生装置の風路を表す平面図である。
【図８】実施形態５に係るイオン発生装置の構成を概略的に表し、（ａ）は上記イオン発生装置の横断面図であり、（ｂ）は上記イオン発生装置の風路を表す平面図である。
【図９】実施形態６に係るイオン発生装置の構成を表す図である。
【図１０】実施形態７に係るイオン照射装置との比較例に係るイオン照射装置の構成を表す断面図である。
【図１１】実施形態７に係るイオン照射装置の構成を表す断面図である。
【図１２】実施形態７に係るイオン照射装置の引き出しの構成を表す斜視図である。
【図１３】実施形態７に係るイオン照射装置の引き出しの構成を表す側面図である。
【図１４】実施形態８に係るイオン照射装置の引き出しの構成を表す図である。
【図１５】実施形態９に係るイオン照射装置５２の構成を表す断面図である。
【図１６】第１の比較例にかかるイオン発生装置の構成を表す断面図である。
【図１７】第２の比較例にかかるイオン発生装置の構成を表す断面図である。
【図１８】仕切り板を設けた風路の構成を表す断面図である。
【図１９】イオン発生部が設けられた箇所から吹き出し口に至る経路の途中を直角に屈曲させた風路の形状を表す断面図である。
【発明を実施するための形態】
【００１３】
〔実施形態１〕
以下、本発明の実施の形態について、詳細に説明する。
【００１４】
（イオン照射装置１の構成）
図２、３を用いて、本実施形態に係るイオン照射装置１の構成について説明する。図２は、実施形態１に係るイオン照射装置の斜視図である。図３は、実施形態１に係るイオン照射装置における側壁の断面図である。
【００１５】
図２、図３に示すように、イオン照射装置１は、一又は複数の棚４と、複数のイオン発生装置１１と、格納部とを有している。当該格納部は、側壁である内壁５及び外壁６とを有している。また、イオン照射装置１の底板の下面（裏面）にはキャスターが配されており、容易にイオン照射装置１を移動させることが可能となっている。なお、キャスターは省略してもよい。
【００１６】
イオン照射装置１は、内部に、食肉などである食品３が格納されるコンテナである。イオン照射装置１に食品３を格納する目的は特に限定されるものではないが、本実施形態では、一例として、イオン照射装置１は、冷蔵するなど保管が必要な食品を保管する前に、当該食品に対し正イオンおよび負イオンを照射するための装置であるものとする。
【００１７】
特許文献２に記載されているように、冷蔵中ではなく、冷蔵する前に一定時間、食品３にイオンを照射するだけでも、食品３における菌の増殖を抑制したり、食品３の消費期限を延ばしたりすることができる。イオン照射装置１に格納された食品３は、イオン照射装置１内でイオンが照射された後、冷蔵庫など他の保管場所へ移動される。
【００１８】
イオン照射装置１に格納する食品３は、食肉に限らず、例えば、パン、かまぼこ、ちくわ、ソーセージ、ハム、ベーコン、麺、チーズ、魚介類等、種々の食品を挙げることができる。なお、食肉加工所において、塊状の食肉を、人手、または機械により小分けする作業の際、当該食肉に菌が付着しやすい。イオン照射装置１によると、菌が付着しやすい食肉への菌の付着を抑制することができるため、イオン照射装置１に用いる食品３としては、特に食肉が好ましい。
【００１９】
棚４は、食品３が載置されたトレー２を配するものである。本実施形態では、一例として、イオン照射装置１は、複数の棚４を有し、多段からなる構成であるものとして説明するが、棚４の個数は特に限定されるものではなく、一つだけであってもよい。
【００２０】
複数のイオン発生装置１１それぞれは、正イオンおよび負イオンを発生させ、当該発生させた正イオンおよび負イオンをイオン照射装置１の内部に放出するためのイオン発生装置である。
【００２１】
複数のイオン発生装置１１は、棚４に載置された食品３を取り囲むように、イオン照射装置１の側壁や天井に配されている。イオン発生装置１１それぞれは正イオンおよび負イオンの吹き出し口がイオン発生装置１１内部を向くように配されている。
【００２２】
図３に示すように、イオン照射装置１の側壁に配されたイオン発生装置１１は、イオン照射装置１における内側の内壁５、および、内壁５の外側を取り囲む外壁６に挿入され、内壁５および外壁６に固定されている。
【００２３】
内壁５のうち、イオン発生装置１１のイオンの吹き出し口部分には、当該吹き出し口と略同一形状の開口部が設けられている。イオン発生装置１１におけるイオンの吹き出し口から吹き出したイオンは、内壁５の上記開口部を通り、イオン発生装置１１内の食品３に照射される。
【００２４】
（イオン発生装置の比較例）
次に、本実施形態に係るイオン発生装置１１の構成を説明する前に、図１６〜図１９を用い、イオン発生装置１１の比較例に係るイオン発生装置の構成について説明する。
【００２５】
図１６は、第１の比較例にかかるイオン発生装置１１１の構成を表す断面図である。イオン発生装置１１１は、軸流ファンタイプのイオン発生装置である。
【００２６】
イオン発生装置１１１は、上述した内壁５及び外壁６と略対応する内壁１０５及び外壁１０６に挿入され固定されている。イオン発生装置１１１は筐体１２１と、フィルター１２２と、軸流ファン１２４と、２個のイオン発生部１２５とを有する。
【００２７】
筐体１２１内には、イオン照射装置の外部から、イオン照射装置の内部へ直線状に貫通する風路１３１が設けられている。外壁１０６には、風路１３１の一端と対応する位置に、当該一端と略同じ大きさの開口部である吸い込み口１１７ａが設けられている。内壁１０５には、風路１３１の他端と対応する位置に、当該他端と略同じ大きさの開口部である吹き出し口１１５ａが設けられている。風路１３１の吸い込み口１１７ａを覆いフィルター１２２が配されている。また、吹き出し口１１５ａ内にはルーバー１２７が配されている。
【００２８】
２個のイオン発生部１２５それぞれは、正イオンおよび負イオンを発生させるための回路部品である。２個のイオン発生部１２５それぞれは、風路１３１における経路の途中に配されており、風路１３１を挟み、互いに対向するように、一方は風路１３１の上側に配され、他方は風路１３１の下側に配されている。
【００２９】
イオン発生部１２５は、図示しない、尖鋭形状を有する一対の放電電極や、当該放電電極を囲繞して配されている誘電電極等を備える。当該放電電極は、高電圧が印加されることでコロナ放電を発生させる。これにより、一対の放電電極のうち、一方から正イオンが発生し、他方から負イオンが発生する。上記放電電極が発生させた正イオンおよび負イオンが風路１３１内に放出される。
【００３０】
軸流ファン１２４は、風路１３１の経路中であって、イオン発生部１２５より外壁１０６に近い側に配されている。
【００３１】
軸流ファン１２４が駆動することで、吸い込み口１１７ａから空気が風路１３１内に流入し、イオン発生部１２５が放出した正イオンおよび負イオンが吹き出し口１１５ａから、イオン発生部１２５が配されたイオン照射装置内部に放出される。
【００３２】
図１７は、第２の比較例にかかるイオン発生装置１１２の構成を表す断面図である。イオン発生装置１１２は、クロスフローファンタイプのイオン発生装置である。イオン発生装置１１２は、内壁１０５及び外壁１０７に挿入され固定されている。外壁１０７は開口部が設けられていない点で外壁１０６と相違する。
【００３３】
イオン発生装置１１２は、軸流ファン１２４に換えてクロスフローファン１２３を有し、風路１３２が屈曲している点でイオン発生装置１１１と相違する。イオン発生装置１１２の他の構成は、イオン発生装置１１１と同様である。
【００３４】
風路１３２の一端である吸い込み口１２１ｃは筐体１２１の裏面に設けられている。吸い込み口１２１ｃ内にはフィルター１２２が配されている。風路１３２は、吸い込み口１２１ｃからイオン発生部１２５が配されている経路の途中で屈曲している。クロスフローファン１２３は、風路１３２の経路のうち、この屈曲している箇所に配されている。風路１３２のうち、クロスフローファン１２３が配されている箇所から吹き出し口１０５ａに至る経路が直線形状である。
【００３５】
メンテナンスのため、イオン発生装置１１１・１１２が配されているイオン照射装置内を水洗いすると、飛散した水滴が吹き出し口１１５ａ・１０５ａから風路１３１・１３２内に進入する。
【００３６】
図１６に示したイオン発生装置１１１の風路１３１や、図１７に示すイオン発生装置１１２の風路１３２は、イオン発生部１２５が配されている箇所から吹き出し口１１５ａ・１０５ａが配されている箇所に至る経路が直線形状であるため、吹き出し口１１５ａ・１０５ａから風路１３１・１３２内に進入した水滴が、イオン発生部１２５に付着しやすい。このイオン発生部１２５には高電圧が印加されるため、水滴が付着すると破損する。このように、イオン発生装置１１１・１１２は、イオン発生装置１１１・１１２が配されたイオン照射装置内を水洗いしたときに、イオン発生部１２５が破損しやすい構造となってしまっている。
【００３７】
このイオン照射装置内の水洗いに伴う水滴がイオン発生部１２５に付着することを抑制するための構造として図１８や図１９に示す構造が考えられる。
【００３８】
図１８は、仕切り板を設けた風路の構成を表す断面図である。図１８に示すように、風路１３２におけるイオン発生部１２５から吹き出し口１０５ａに至る経路中に、風路１３２の内径より面積が小さい複数の仕切り板１２６を、風路１３２の内面に対し垂直となるように、当該風路１３２の内面に起立させて設ける。このように複数の仕切り板１２６を設けることで、吹き出し口１０５ａから風路１３２に進入した水滴１０９が、仕切り板１２６よりイオン発生部１２５側へ飛散することを、ある程度防止することはできる。
【００３９】
しかし、風路１３２に仕切り板１２６を設けると、仕切り板１２６を設けない場合と比べて、仕切り板１２６と風路１３２の内面との隙間の距離（図１８に示す矢印１３２Ｗ）が小さくなる。このため、風路１３２内の風量が低下し、吹き出し口１０５ａからイオン照射装置内への正イオンおよび負イオンの供給効率が悪くなる。
【００４０】
図１９は、イオン発生部が設けられた箇所から吹き出し口に至る経路の途中を直角に屈曲させた風路の形状を表す断面図である。図１９では、イオン発生装置を水平面に配したときの水平方向をＸ軸方向とし、当該水平面に対する垂直方向をＺ軸方向としている。また、吹き出し口から気流が吹き出される向きをＸ軸正の向きとし、鉛直上方をＺ軸正の向きとする。
【００４１】
風路１３３は、イオン発生部１２５が配されている箇所から吹き出し口１０５ａに至る経路中に直角に屈曲する箇所を有するＬ字型風路である。風路１３３は、クロスフローファン１２３が配されている箇所からイオン発生部１２５が配されている箇所にかけてＸ軸正向きに延伸する延伸部１３３ｂと、延伸部１３３ｂからＺ軸負の向きに直角に屈曲し、当該Ｚ軸負の向きへ延伸する屈曲部１３３ｃと、屈曲部１３３ｃからＸ軸正の向きに直角に屈曲し当該Ｘ軸正の向きに延伸し吹き出し口１０５ａに至る延伸部１３３ｄとを有する。
【００４２】
風路１３３内において、イオン発生部１２５から風路１３３に放出された正イオンおよび負イオンは気流により運ばれる。図１９において、矢印Ｂ１３３は延伸部１３３ｂ内の気流の向きを表し、矢印Ｃ１３３は屈曲部１３３ｃ内の気流の向きを表し、矢印Ｄ１３３は延伸部１３３ｄ内の気流の向きを表している。風路１３３内において、気流は、延伸部１３３ｂ内ではＸ軸正の向きに移動し、屈曲部１３３ｃではＺ軸負の向きに移動し、延伸部１３３ｄではＸ軸正の向きに移動する。そして、正イオンおよび負イオンは吹き出し口１０５ａからイオン照射装置内へ放出される。
【００４３】
風路１３３によると、Ｚ軸向きに延伸する屈曲部１３３ｃが設けられているため、吹き出し口１０５ａから延伸部１３３ｄ内へ進入した水滴１０９が、直接、イオン発生部１２５に付着することを抑制することができる。
【００４４】
しかし、イオン発生装置内の限られた空間においては、屈曲部１３３ｃの延伸方向の距離を十分に確保することができない。このため、吹き出し口１０５ａから延伸部１３３ｄ内へ進入した水滴１０９が、延伸部１３３ｄや屈曲部１３３ｃの内面で跳ね、屈曲部１３３ｃを越えて延伸部１３３ｂ内に進入し、イオン発生部１２５に付着する場合がある。
【００４５】
このように風路１３３のようにイオン発生部１２５が配された箇所から吹き出し口１０５ａに至る経路中に、直角に屈曲する屈曲部１３３ｃを設けても、イオン発生部１２５への水滴１０９の付着を防止するには不十分である。
【００４６】
（イオン発生装置の構成）
次に、図１を用い、本実施形態に係るイオン発生装置１１の構成について説明する。図１は、本実施形態に係るイオン発生装置１１の構成を表す図である。なお、以降の説明では、イオン発生装置を水平面に配したときの水平方向をＸ軸方向とし、当該水平面に対する垂直方向をＺ軸方向としている。また、Ｘ軸方向のうち、吹き出し口から気流が吹き出される向きをＸ軸正の向きとし、Ｚ軸方向のうち鉛直上方をＺ軸正の向きとする。イオン発生装置をイオン照射装置に配したときにイオン照射装置の外側から内側に向かう向きがＸ軸正の向きであり、内側から外側に向かう向きがＸ軸負の向きである。
【００４７】
イオン発生装置１１は、筐体２１と、フィルター２２と、クロスフローファン２３と、２個のイオン発生部２５とを有する。
【００４８】
筐体２１は、上面２１ａと下面２１ｂとを有する。筐体２１内には、一端から他端にかけて筐体２１を貫通する風路３１が設けられている。筐体２１は、イオンが吸着されない絶縁材料からなる。筐体２１を構成する材料の一例としては、ＡＢＳ、ＰＢＴ、またはポリカーボネートなどの樹脂材料を挙げることができる。また、柔軟性を持たせるため、筐体２１を、ゴムまたはウレタンなどの軟質樹脂で構成してもよい。なお、筐体２１を金属材料から構成したとしても、風路３１の表面に塗料などの塗装を施すなどにより、風路３１の表面の絶縁性を確保できればよい。
【００４９】
風路３１は、一端であり風路３１内への気流の入り口である吸い込み口２１ｃと、他端であり風路３１内を流れる気流の出口である吹き出し口２１ｄとを有する。吸い込み口２１ｃは筐体２１の下面に設けられており、吹き出し口２１ｄは筐体２１のうち内壁５に取り付けられる側面に設けられている。風路３１は、吸い込み口２１ｃから吹き出し口２１ｄに至る経路であって、この順に配されている、延伸部３１ａ、延伸部（第３経路）３１ｂ、屈曲部（第２経路）３１ｃ、および延伸部（第１経路）３１ｄを有する。
【００５０】
風路３１の表面には、風路３１内での水跳ねを低減するため、親水性塗料を塗装してもよい。これは、水滴が付着した風路３１の表面が親水性であれば、当該水滴と当該表面との接触面積が大きくなることで、当該表面に水滴が吸着されやすくなり、この結果、水跳ねを低減することができる。
【００５１】
風路３１の表面は凹凸形状を有していてもよい。たとえば、梨地などのシボ加工を施すことで風路３１の表面に凹凸形状を施すことができる。これにより、風路３１内での水跳ねを低減することができる。
【００５２】
これは、水滴が付着した表面が凹凸形状となっていることで、水滴の跳ね返るためのエネルギーが分散するためである。また、水滴が付着した表面が凹凸形状となっていることで、水滴と風路３１の表面との接触面積が大きくなる。このため、当該表面に水滴が吸着されやすくなり、この結果、水跳ねを低減することができることも理由として挙げられる。
【００５３】
内壁５には、風路３１の吹き出し口２１ｄと対応する位置に、当該吹き出し口２１ｄと略同じ大きさの開口部５ａが設けられている。風路３１を覆うように、吸い込み口２１ｃ近傍にはフィルター２２が配され、吹き出し口２１ｄ近傍にはルーバー２７が配されている。
【００５４】
クロスフローファン２３は、風路３１内であって、延伸部３１ａと、延伸部３１ｂとの接続箇所に配されている。２個のイオン発生部２５は延伸部３１ｂの経路中に配されている。
【００５５】
延伸部３１ａは、吸い込み口２１ｃから延伸部３１ｂに至るまでの経路である。延伸部３１ａは吸い込み口２１ｃから延伸部３１ｂにかけてＺ軸正の向きに延伸している。延伸部３１ｂは、延伸部３１ａから屈曲部３１ｃに至るまでの経路である。延伸部３１ｂはＸ軸方向に延伸している。延伸部３１ｂは延伸部３１ａから略直角に屈曲している。
【００５６】
屈曲部３１ｃは、延伸部３１ｂから延伸部３１ｄに至るまでの経路である。屈曲部３１ｃは、内部を流れる気流Ｃ１の向きに、延伸部３１ｂ内部を流れる気流Ｂ１の向きと逆向きの成分が含まれるように、延伸部３１ｂと接続されている。具体的には、屈曲部３１ｃは、延伸部３１ｂと成す角θ１が鋭角となるように、延伸部３１ｂと接続されている。
【００５７】
延伸部３１ｂの下面と屈曲部３１ｃの内側側面（Ｘ軸負方向側の側面）とが成す角と、延伸部３１ｂの上面と屈曲部３１ｃの外側側面（Ｘ軸正方向側の側面）とが成す角との両方とも鋭角となるように、延伸部３１ｂと屈曲部３１ｃとは接続されている。
【００５８】
延伸部３１ｄは、屈曲部３１ｃから吹き出し口２１ｄに至るまでの経路である。延伸部３１ｄはＸ軸方向に延伸している。延伸部３１ｄは、内部を流れる気流Ｄ１の向きに、屈曲部Ｃ１内部を流れる気流Ｃ１の向きと逆向きの成分が含まれるように、屈曲部Ｃ１から屈曲している。具体的には、延伸部３１ｄは、屈曲部３１ｃと成す角θ２が鋭角となるように、屈曲部３１ｃから屈曲している。
【００５９】
延伸部３１ｄの上面と屈曲部３１ｃの外側側面（Ｘ軸正方向側の側面）とが成す角と、延伸部３１ｄの下面と屈曲部３１ｃの内側側面（Ｘ軸負方向側の側面）とが成す角との両方とも鋭角となるように、延伸部３１ｄと屈曲部３１ｃとは接続されている。
【００６０】
クロスフローファン２３が駆動することで、風路３２内に気流が発生し、吸い込み口２１ｃから空気Ａ１が流入し、延伸部３１ｂ内では延伸部３１ｂの延伸方向に沿ってＸ軸正の向きに気流Ｂ１が流れ、屈曲部３１ｃ内では屈曲部３１ｃの延伸方向に沿ってＸ軸正及びＺ軸正からＸ軸負及びＺ軸負への向きに気流Ｃ１が流れ、延伸部３１ｄ内では延伸部３１ｄの延伸方向に沿ってＸ軸正の向きに気流Ｄ１が流れる。
【００６１】
２個のイオン発生部２５それぞれは、正イオンおよび負イオンを発生させるための回路部品である。２個のイオン発生部２５それぞれは、延伸部３１ｂにおける経路の途中に配されており、延伸部３１ｂを挟み、互いに対向するように、一方は延伸部３１ｂの上側に配され、他方は延伸部３１ｂの下側に配されている。
【００６２】
イオン発生部２５は、図示しない、尖鋭形状を有する一対の放電電極や、当該放電電極を囲繞して配されている誘電電極等を備える。当該放電電極は、高電圧が印加されることでコロナ放電を発生させる。これにより、一対の放電電極のうち、一方から正イオンが発生し、他方から負イオンが発生する。この正イオンとしては、Ｈ＋（Ｈ２Ｏ）ｎ（ｎは任意の自然数）、負イオンとしては、Ｏ２−（Ｈ２Ｏ）ｎ（ｎは任意の自然数）が最も安定して生成される。
【００６３】
上記放電電極が発生させた正イオンおよび負イオンが延伸部３１ｂ内に放出される。そして、正イオンおよび負イオンは、延伸部３１ｂ、屈曲部３１ｃ、および延伸部３１ｄのそれぞれ内を流れる気流Ｂ１・Ｃ１・Ｄ１に流され、吹き出し口２１ｄからイオン照射装置１内部に放出される。
【００６４】
なお、イオン発生部２５の個数は２個に限定されず、風路３１の上側または下側の何れか一方だけに配されていてもよいし、３個以上のイオン発生部２５が配されていてもよい。
【００６５】
イオン発生装置１１によると、風路３１は、イオン発生部２５が配されている箇所から吹き出し口２１ｄに至る経路に、延伸部３１ｄと、屈曲部３１ｃとを有する。
【００６６】
屈曲部３１ｃの延伸方向はＸ軸方向である。延伸部３１ｄでは、内部を流れる気流Ｄ１の向きがＸ軸正の向き（第１の向き）となっている。
【００６７】
屈曲部３１ｃの延伸方向はＸ軸正及びＺ軸正からＸ軸負及びＺ軸負へ延びる方向である。屈曲部３１ｃでは内部を流れる気流Ｃ１の向きは、Ｘ軸正の向きとは逆向きであるＸ軸負の向きを成分として有する。すなわち、気流Ｃ１の向きは、Ｘ軸正及びＺ軸正からＸ軸負及びＺ軸負に向かう向き（第２の向き）である。
【００６８】
これにより、イオン発生装置１１が配されているイオン照射装置１内を水で洗浄した際の水滴が、吹き出し口２１ｄから風路３１の延伸部３１ｄ内に進入したとしても、屈曲部３１ｃ内に付着することになる。このため、水滴が、屈曲部３１ｃより上流に配されているイオン発生部２５に付着することを防止することができる。これにより、イオン発生部２５の破損を防止することができる。
【００６９】
具体的には、屈曲部３１ｃは、延伸部３１ｄと、成す角θ２が鋭角となるように屈曲して接続されている。このため、確実に、吹き出し口２１ｄから進入した水滴がイオン発生部２５に付着することを防止することができる。
【００７０】
このように、イオン発生装置１１によると、屈曲部３１ｃの延伸方向の距離が比較的短くてもよく、イオン発生装置１１内の限られた空間であっても、水滴がイオン発生部２５に付着することを防止することができる。
【００７１】
さらに、風路３１は、イオン発生部２５が配されている箇所から吹き出し口２１ｄに至る経路に、延伸部３１ｂを有する。
【００７２】
延伸部３１ｂの延伸方向はＸ軸方向である。延伸部３１ｄでは、内部を流れる気流Ｂ１の向きがＸ軸正の向きとなっており、屈曲部３１ｃ内を流れる気流Ｃ１の向きに含まれる成分であるＸ軸負の向きとは逆向きである。具体的には、延伸部３１ｂは、屈曲部３１ｃと、成す角θ１が鋭角となるように屈曲して接続されている。
【００７３】
このため、確実に、吹き出し口２１ｄから進入した水滴がイオン発生部２５に付着することを防止することができる。
【００７４】
屈曲部３１ｃは、径方向に対向配置されている両側面３１ｃ１・３１ｃ２を有する。両側面３１ｃ１・３１ｃ２のうち、吹き出し口２１ｄから遠い側の側面３１ｃ１と、吹き出し口２１ｄに近い側の側面３１ｃ２とは、それぞれ、一端で延伸部３１ｂと曲がって接続されている。また、側面３１ｃ１・３１ｃ２は他端で延伸部３１ｃ２と曲がって接続されている。
【００７５】
両側面３１ｃ１・３１ｃ２の一方の側面３１ｃ１における一端Ｐ１と、他方の側面３１ｃ２における他端Ｐ２とを結ぶ直線ＺＰ１は、屈曲部３１ｃの径方向の中心を通り第１の向きに垂直に交わる中心線Ｚ１に対し、成す角が鋭角となるように傾斜している。
【００７６】
換言すると、平面視したとき、風路３２は、延伸部３１ｂの下面のうち、屈曲部３１ｃの一端と接続されている延伸部３１ｂの他端近傍の部分と、延伸部３１ｄの上面のうち、屈曲部３１ｃの他端と接続されている延伸部３１ｄの一端近傍の部分とは重なっていると表現することもできる。
【００７７】
このような風路３１の構成により、確実に、屈曲部３１ｃより上流側の延伸部３１ｂへ水滴が進入することを防止することができる。この結果、さらに確実に、水滴がイオン発生部２５に付着することを防止することができる。
【００７８】
（変形例）
図４は、実施形態１に係るイオン発生装置１１の変形例に係るイオン発生装置１１ａの構成を表す断面図である。イオン発生装置１１は、図４に示す構成としてもよい。
【００７９】
イオン発生装置１１ａは、延伸部３１ｂの下面のうち、屈曲部３１ｃの一端と接続されている延伸部３１ｂの他端近傍の領域が、気流Ｂ１が進行するにつれＺ軸正から負となる向きへ傾斜する斜面３１ｂ１となっている。また、延伸部３１ｄの下面は、一端から他端にかけて、気流Ｄ１が進行するにつれＺ軸正から負となる向きへ傾斜している斜面３１ｄ１となっている。これにより、屈曲部３１ｃ内を流れる気流Ｃ１や延伸部３１ｄ内を流れる気流Ｄ１が弱まることを抑制することができる。この結果、吹き出し口２１ｄからイオン照射装置１の内部へ放出される正イオンおよび負イオンが減少することを抑制することができるため、効率的を抑制することができる。
【００８０】
〔実施形態２〕
本発明の実施形態２について、図５に基づいて説明すれば、以下のとおりである。なお、説明の便宜上、実施形態１にて説明した部材と同じ機能を有する部材については、同じ符号を付記し、その説明を省略する。図５は、実施形態２に係るイオン発生装置１２の構成を表す図である。
【００８１】
イオン発生装置１２は、イオン発生装置１１の風路３１に換えて、異なる形状である風路３２を有する点で、イオン発生装置１１と異なる。イオン発生装置１２の他の構成はイオン発生装置１１と同様である。
【００８２】
風路３２は、吸い込み口２１ｃから吹き出し口２１ｄに至る経路であって、この順に配されている、延伸部３２ａ、延伸部３２ｂ、屈曲部３２ｃ、および延伸部３２ｄを有する。延伸部３２ａは延伸部３１ａと同様である。
【００８３】
延伸部３２ｂは、屈曲部３２ｃとの接続箇所よりも、延伸部３２ｂの延伸方向（Ｘ軸正の向き）に流れる気流Ｂ２の向きに突出する突出部３２ｅを有する。突出部３２ｅを構成し延伸部３２ｂの上面と下面とを接続する側面は、延伸部３２ｂの延伸方向（Ｘ軸方向）に対し垂直となるように配されている。延伸部３２ｂの下面には、上記側面と離間して開口部が設けられている。
【００８４】
屈曲部３２ｃの一端は、延伸部３２ｂの下面に設けられた上記開口部と接続されている。屈曲部３２ｃと延伸部３１ｂとが成す角θ１は鋭角となっている。
【００８５】
延伸部３２ｄは、屈曲部３２ｃとの接続箇所よりも、延伸部３２ｄの延伸方向（Ｘ軸負の方向）に流れる気流Ｄ２の向きと逆向きに突出する突出部３２ｆを有する。突出部３２ｆを構成し延伸部３２ｄの上面と下面とを接続する側面は、延伸部３２ｄの延伸方向（Ｘ軸方向）に対し垂直となるように配されている。延伸部３２ｄの上面には、上記側面と離間して開口部が設けられている。
【００８６】
屈曲部３２ｃの他端は、延伸部３２ｄの上面に設けられた上記開口部と接続されている。屈曲部３２ｃと延伸部３１ｄとが成す角θ２は鋭角となっている。
【００８７】
イオン発生装置１２によると、クロスフローファン２３の駆動により、延伸部３２ａに空気Ａ２が流入し、延伸部３２ｂ内を、延伸部３２ｂの延伸方向に沿って流れる気流Ｂ２は、延伸部３２ｂの突出部３２ｅの側面で跳ね返って（気流Ｂ２１）から屈曲部３２ｃへ流れ気流Ｃ２となる。
【００８８】
突出部３２ｅは、屈曲部３２ｃとの接続箇所より延伸部３２ｂの延伸方向に突出する。そして、延伸部３２ｂの突出部３２ｅの側面は、延伸部３２ｂの上面および下面と垂直なるように配されている。このため、図１に示したイオン発生装置１１において延伸部３２ｂの上面と屈曲部３１ｃの外側側面とが鋭角となっている場合と比べ、空気抵抗を抑えることができ、屈曲部３２ｃ内を流れる気流Ｃ２の流量低下を防止することができる。
【００８９】
また、延伸部３２ｄの突出部３２ｆは、屈曲部３２ｃとの接続箇所より延伸部３２ｄの延伸方向に突出する。そして、延伸部３２ｄの突出部３２ｆの側面は、延伸部３２ｄの上面および下面と垂直なるように配されている。このため、屈曲部３２ｃの延伸方向に沿って流れる気流Ｃ２は、延伸部３２ｄに流入すると突出部３２ｆの側面で跳ね返って（気流Ｄ２１）から気流Ｄ２として延伸部３２ｄの延伸方向に進行する。
【００９０】
このため、図１に示したイオン発生装置１１において延伸部３１ｄの下面と屈曲部３１ｃの内側側面とが鋭角となっている場合と比べ、空気抵抗を抑えることができ、延伸部３２ｄ内を流れる気流Ｄ２の流量低下を防止することができる。
【００９１】
これにより、イオン発生装置１２は、吹き出し口２１ｄから吹き出される正イオンおよび負イオンの流量低下を抑えることができ、効率低下を防止することができる。
【００９２】
〔実施形態３〕
本発明の実施形態３について、図６に基づいて説明すれば、以下のとおりである。なお、説明の便宜上、実施形態１、２にて説明した部材と同じ機能を有する部材については、同じ符号を付記し、その説明を省略する。図６は、実施形態３に係るイオン発生装置１３の構成を表す図である。
【００９３】
イオン発生装置１３は、イオン発生装置１１の風路３１に換えて、異なる形状である風路３３を有する点で、イオン発生装置１１と異なる。イオン発生装置１３の他の構成はイオン発生装置１１と同様である。
【００９４】
風路３３は、吸い込み口２１ｃから吹き出し口２１ｄに至る経路であって、この順に配されている、延伸部３３ａ、延伸部３３ｂ、湾曲部３３ｃ、および延伸部３３ｄを有する。延伸部３３ａは延伸部３１ａと同様である。
【００９５】
延伸部３３ｂはＸ軸正の方向に延伸している。延伸部３３ｂの一端は延伸部３３ａと略直角に屈曲するように接続されており、他端は湾曲部３３ｃの一端と接続されている。
【００９６】
湾曲部３３ｃは、延伸部３３ｂから延伸部３３ｄに至るまでの経路である。湾曲部３３ｃは一端から他端にかけてＳ字形状に湾曲している。湾曲部３３ｃは、内部を流れる気流Ｃ３の向きに、延伸部３３ｂ内部を流れる気流Ｂ３の向きと逆向きの成分が含まれるように、延伸部３１ｂから湾曲して接続されている。具体的には、湾曲部３３ｃは一端から中央部にかけて湾曲し、当該中央部はＸ軸方向に延伸し延伸部３３ｂと平行となっている。そして、湾曲部３３ｃは中央部から他端にかけて湾曲し、他端は延伸部３３ｄの一端と接続されている。
【００９７】
延伸部３３ｄは、湾曲部３３ｃから吹き出し口２１ｄに至るまでの経路である。延伸部３３ｄはＸ軸正の向きに延伸している。延伸部３１ｄは、内部を流れる気流Ｄ３の向きに、湾曲部３３ｃ内部を流れる気流Ｃ３の向きと逆向きの成分が含まれるように、湾曲部３３ｃから湾曲して接続されている。具体的には、延伸部３１ｄと、湾曲部３３ｃの中央部とは平行となっている。
【００９８】
クロスフローファン２３が駆動することで、風路３３内に気流が発生し、吸い込み口２１ｃから空気Ａ３が流入し、延伸部３３ｂ内では延伸部３３ｂの延伸方向に沿ってＸ軸正の向きに気流Ｂ３が流れ、湾曲部３３ｃ内では湾曲形状に沿って気流Ｃ３が流れ、延伸部３３ｄ内では延伸部３１ｄの延伸方向に沿ってＸ軸正の向きに気流Ｄ３が流れる。
【００９９】
特に、湾曲部３３ｃの中央部において気流Ｃ３の向きはＸ軸負の向きとなり、当該向きは、延伸部３３ｂを流れる気流Ｂ３や延伸部３３ｄを流れる気流Ｄ３の向きであるＸ軸正の向きとは逆向きである。
【０１００】
イオン発生装置１３によると、風路３３は、イオン発生部２５が配されている箇所から吹き出し口２１ｄに至る経路中に、風路３３の延伸方向に沿って風路３３内を流れる気流の向きが、逆向きとなる成分を含むように湾曲する部分である湾曲部３３ｃを有する。
【０１０１】
具体的には、風路３３は、イオン発生部２５が配されている箇所から吹き出し口２１ｄに至る経路中に、一端から、吹き出し口２１ｄが設けられた他端に向かう経路中に、内部を気流Ｄ３が流れる延伸部３３ｄと、気流Ｄ３の向きと逆向き（Ｘ軸負の向き）の成分が含まれる向きに内部を気流Ｃ３が流れるように延伸部３３ｄから湾曲する湾曲部３３ｃとを有する。
【０１０２】
延伸部３３ｄの延伸方向はＸ軸方向である。この延伸部３３ｄ内であって、延伸部３３ｄの延伸方向に沿って流れる気流Ｄ３の向きはＸ軸正の向きである。
【０１０３】
そして、湾曲部３３ｃは、延伸部３３ｄと接続された他端から中央部にかけて湾曲し当該中央部は延伸部３３ｄと平行となっている。この湾曲部３３ｃの中央部内を流れる気流Ｃ３の向きはＸ軸負の向きであり、延伸部３３ｄ内を流れる気流Ｄ３の向きと逆向きである。
【０１０４】
このような風路３３の形状を有することで、イオン発生装置１３は、イオン発生装置１３が配されているイオン照射装置１内を水で洗浄した際の水滴が、吹き出し口２１ｄから風路３３内に進入したとしても、湾曲部３３ｃから上流側の延伸部３３ｂへ進入することを防止することができる。このように、イオン発生装置１３によると、湾曲部３３ｃの距離が比較的短くてもよく、イオン発生装置１３内の限られた空間であっても、水滴がイオン発生部２５に付着することを防止することができる。
【０１０５】
また、さらに、イオン発生装置１３によると、風路３３は、イオン発生部２５が配されている箇所から吹き出し口２１ｄに至る経路中に、風路３３の延伸方向に沿って風路３３内を流れる気流の向きが、逆向きとなる成分を含むように湾曲部３３ｃから湾曲する部分である延伸部３３ｂを有する。
【０１０６】
具体的には、風路３３は、イオン発生部２５が配されている箇所から吹き出し口２１ｄに至る経路中に、湾曲部３３ｃの中央部を流れる気流Ｃ３の向き（Ｘ軸負の向き）と逆向きの成分が含まれる向き（Ｘ軸正の向き）に内部を気流Ｂ３が流れるように湾曲部３３ｃから湾曲する延伸部３３ｂを有する。
【０１０７】
これによると、さらに確実に、湾曲部３３ｃから上流の延伸部３３ｂへ進入することを防止することができ、この結果、さらに確実に、水滴がイオン発生部２５に付着することを防止することができる。
【０１０８】
さらに、湾曲部３３ｃによると、一端から他端にかけて湾曲する形状であるため、鋭角に屈曲する場合と異なり、空気抵抗を抑えることができ、湾曲部３３ｃ内を流れる気流Ｃ３や、延伸部３３ｄ内を流れる気流Ｄ３の流量低下を防止することができる。
【０１０９】
これにより、イオン発生装置１３は、吹き出し口２１ｄから吹き出される正イオンおよび負イオンの流量低下を抑えることができ、効率低下を防止することができる。
【０１１０】
〔実施形態４〕
本発明の実施形態４について、図７の（ａ）（ｂ）に基づいて説明すれば、以下のとおりである。なお、説明の便宜上、実施形態１〜３にて説明した部材と同じ機能を有する部材については、同じ符号を付記し、その説明を省略する。図７は、実施形態４に係るイオン発生装置の構成を概略的に表し、（ａ）は上記イオン発生装置の横断面図であり、（ｂ）は上記イオン発生装置の風路を表す平面図である。なお、Ｙ軸はＸ軸およびＺ軸と垂直に交わる軸である。
【０１１１】
イオン発生装置１４は、イオン発生装置１１の風路３１に換えて、異なる形状である風路３４を有する点で、イオン発生装置１１と異なる。イオン発生装置１４の他の構成はイオン発生装置１１と同様である。
【０１１２】
風路３４は、吸い込み口２１ｃから吹き出し口２１ｄに至る経路であって、この順に配されている、延伸部３４ａ、延伸部３４ｂ、湾曲部３４ｃ、および延伸部３４ｄを有する。延伸部３４ａは延伸部３１ａと同様である。
【０１１３】
延伸部３４ｂはＸ軸正の方向に延伸している。延伸部３４ｂの一端は延伸部３４ａと略直角に屈曲するように接続されており、他端は湾曲部３４ｃの一端と接続されている。
【０１１４】
湾曲部３４ｃは、延伸部３４ｂから延伸部３４ｄに至るまでの経路である。湾曲部３４ｃの一端は延伸部３４ｂの他端と接続されており、湾曲部３４ｃの他端は延伸部３４ｄの一端と接続されている。
【０１１５】
湾曲部３４ｃは、内部を流れる気流の向きに、互いに逆向きの成分が含まれる形状である。具体的には、湾曲部３４ｃは一端から他端にかけて横方向（Ｘ軸方向）に沿って螺旋形状となるように湾曲している。湾曲部３４ｃは、Ｘ軸に平行な中心軸Ｘ４に沿って、一端から他端にかけて当該中心軸Ｘ４の周囲を旋回する形状である。
【０１１６】
延伸部３４ｄは、湾曲部３４ｃから吹き出し口２１ｄに至るまでの経路である。延伸部３４ｄはＸ軸正の向きに延伸している。
【０１１７】
クロスフローファン２３が駆動することで、風路３４内に気流が発生し、吸い込み口２１ｃから空気Ａ４が流入し、延伸部３４ｂ内では延伸部３４ｂの延伸方向に沿ってＸ軸正の向きに気流Ｂ４が流れ、湾曲部３４ｃ内では湾曲形状に沿って気流Ｃ４１・Ｃ４２が流れ、延伸部３４ｄ内では延伸部３４ｄの延伸方向に沿ってＸ軸正の向きに気流Ｄ４が流れる。湾曲部３４ｃは、中心軸Ｘ４に対し対称な箇所であり、気流Ｃ４２が流れる経路（第１経路）と、気流Ｃ４２が流れる経路（第２経路）とを有する。
【０１１８】
螺旋状に湾曲する湾曲部３４ｃ内を流れる気流Ｃ４１と気流Ｃ４２とは、湾曲部３４ｃの形状に沿って互いに逆向きの成分を含むように中心軸Ｘ４の周囲を旋回しながら湾曲部３４ｃ内を移動する。
【０１１９】
ＸＺ平面（図７の（ａ）に示す平面）において、気流Ｃ４１の向き（第２の向き）は、Ｘ軸正の向きの成分と、Ｚ軸負の向きの成分とからなる。また、ＸＺ平面（図７の（ａ）に示す平面）において、気流Ｃ４２の向き（第１の向き）は、Ｘ軸正の向きの成分と、Ｚ軸正の向きの成分とからなる。このように、気流Ｃ４１の向きと、気流Ｃ４２の向きとは、Ｚ軸方向に、互いに逆向きの成分を含む。
【０１２０】
このような風路３４の形状を有することで、イオン発生装置１４は、イオン発生装置１４が配されているイオン照射装置１内を水で洗浄した際の水滴が、吹き出し口２１ｄから風路３４内に進入したとしても、湾曲部３４ｃから上流側の延伸部３４ｂへ進入することを防止することができる。このように、イオン発生装置１４によると、湾曲部３４ｃの距離が比較的短くてもよく、イオン発生装置１４内の限られた空間であっても、水滴がイオン発生部２５に付着することを防止することができる。
【０１２１】
さらに、湾曲部３４ｃによると、一端から他端にかけて湾曲する形状であるため、鋭角に屈曲する場合と異なり、空気抵抗を抑えることができ、湾曲部３４ｃ内を流れる気流Ｃ４１・Ｃ４２や、延伸部３４ｄ内を流れる気流Ｄ４の流量低下を防止することができる。
【０１２２】
これにより、イオン発生装置１４は、吹き出し口２１ｄから吹き出される正イオンおよび負イオンの流量低下を抑えることができ、効率低下を防止することができる。
【０１２３】
なお、風路３４は、延伸方向と垂直に切った断面が円形である丸管で構成してもよいし、延伸方向と垂直に切った断面が四角形やその他の多角形である角管で構成してもよい。
【０１２４】
〔実施形態５〕
本発明の実施形態５について、図８の（ａ）（ｂ）に基づいて説明すれば、以下のとおりである。なお、説明の便宜上、実施形態１〜４にて説明した部材と同じ機能を有する部材については、同じ符号を付記し、その説明を省略する。図８の（ａ）は、実施形態５に係るイオン発生装置１５の構成を概略的に表す横断面図であり、（ｂ）は（ａ）に示す風路を概略的に表す平面図である。
【０１２５】
イオン発生装置１５は、イオン発生装置１１の風路３１に換えて、異なる形状である風路３５を有する点で、イオン発生装置１１と異なる。イオン発生装置１５の他の構成はイオン発生装置１１と同様である。
【０１２６】
風路３５は、吸い込み口２１ｃから吹き出し口２１ｄに至る経路であって、この順に配されている、延伸部３５ａ、延伸部（第１経路）３５ｂ、湾曲部（第２経路・第１経路）３５ｃ、および延伸部（第１経路）３５ｄを有する。延伸部３５ａは延伸部３１ａと同様である。
【０１２７】
延伸部３５ｂはＸ軸正の方向に延伸している。延伸部３５ｂの一端は延伸部３５ａと略直角に屈曲するように接続されており、他端は湾曲部３５ｃの一端と接続されている。
【０１２８】
湾曲部３５ｃは、延伸部３５ｂから延伸部３５ｄに至るまでの経路である。湾曲部３５ｃの一端は延伸部３５ｂの他端と接続されており、湾曲部３５ｃの他端は延伸部３５ｄの一端と接続されている。
【０１２９】
湾曲部３５ｃは、内部を流れる気流の向きに、互いに逆向きの成分が含まれる形状である。具体的には、湾曲部３５ｃは一端から他端にかけて縦方向（Ｚ軸方向）に沿って螺旋形状となるように湾曲している。湾曲部３５ｃは、Ｚ軸に平行な中心軸Ｚ５に沿って、一端から他端にかけて当該中心軸Ｚ５の周囲を旋回する形状である。
【０１３０】
延伸部３４ｄは、湾曲部３４ｃから吹き出し口２１ｄに至るまでの経路である。延伸部３４ｄはＸ軸正の向きに延伸している。
【０１３１】
クロスフローファン２３が駆動することで、風路３５内に気流が発生し、吸い込み口２１ｃから空気Ａ５が流入し、延伸部３５ｂ内では延伸部３５ｂの延伸方向に沿ってＸ軸正の向きに気流Ｂ５が流れ、湾曲部３５ｃ内では湾曲形状に沿って気流Ｃ５１・Ｃ５２が流れ、延伸部３５ｄ内では延伸部３５ｄの延伸方向に沿ってＸ軸正の向き（第１の向き）に気流Ｄ５が流れる。湾曲部３５ｃは、中心軸Ｚ５に対し対称な箇所であり、気流Ｃ５１が流れる経路と、気流Ｃ５２が流れる経路とを有する。
【０１３２】
螺旋状に湾曲する湾曲部３５ｃ内を流れる気流は、湾曲部３４ｃの形状に沿って、互いに逆向きの成分を含むように中心軸Ｚ５の周囲を旋回しながら湾曲部３５ｃ内を移動する。
【０１３３】
ＸＺ平面（図８の（ａ）に示す平面）において、気流Ｃ５１の向きは、Ｘ軸正の向きの成分と、Ｚ軸負の向きの成分とからなる。また、ＸＺ平面（図８の（ａ）に示す平面）において、気流Ｃ５２の向き（第２の向き）は、Ｘ軸負の向きの成分と、Ｚ軸正の向きの成分とからなる。
【０１３４】
気流Ｃ５２の向きは、延伸部３５ｄの延伸方向に沿って流れる気流Ｄ５の向きであるＸ軸正の向きと逆向きであるＸ軸負の向きの成分を含む。このように風路３５は、吹き出し口２１ｄから進入した水滴がイオン発生部２５に付着し難い構成となっている。
【０１３５】
さらに、湾曲部３５ｃ内においても、気流Ｃ５１の向きと、気流Ｃ５２の向きとは、Ｘ軸方向に、互いに逆向きの成分を含む。このような風路３５の形状を有することで、さらに、水滴がイオン発生部２５に付着し難くなっている。
【０１３６】
さらに、湾曲部３５ｃによると、一端から他端にかけて湾曲する形状であるため、鋭角に屈曲する場合と異なり、空気抵抗を抑えることができ、湾曲部３５ｃ内を流れる気流Ｃ５１・Ｃ５２や、延伸部３５ｄ内を流れる気流Ｄ５の流量低下を防止することができる。
【０１３７】
これにより、イオン発生装置１５は、吹き出し口２１ｄから吹き出される正イオンおよび負イオンの流量低下を抑えることができ、効率低下を防止することができる。
【０１３８】
なお、風路３５は、延伸方向と垂直に切った断面が円形である丸管で構成してもよいし、延伸方向と垂直に切った断面が四角形やその他の多角形である角管で構成してもよい。
【０１３９】
〔実施形態６〕
本発明の実施形態６について、図９に基づいて説明すれば、以下のとおりである。なお、説明の便宜上、実施形態１〜５にて説明した部材と同じ機能を有する部材については、同じ符号を付記し、その説明を省略する。図９は、実施形態６に係るイオン発生装置１６の構成を表す図である。
【０１４０】
イオン発生装置１６は、イオン発生装置１１の風路３１に換えて、異なる形状である風路３６を有する点で、イオン発生装置１１と異なる。イオン発生装置１６の他の構成はイオン発生装置１１と同様である。
【０１４１】
風路３６は、吸い込み口２１ｃから吹き出し口２１ｄに至る経路であって、この順に配されている、延伸部３６ａ、延伸部（第１経路）３６ｂ、屈曲部（第２経路・第１経路））３６ｃ、および延伸部（第１経路）３６ｄを有する。延伸部３６ａは延伸部３１ａと同様である。
【０１４２】
延伸部３６ｂはＸ軸正の方向に延伸している。延伸部３６ｂの一端は延伸部３６ａと略直角に屈曲するように接続されており、他端は屈曲部３６ｃの一端と接続されている。
【０１４３】
屈曲部３６ｃは、延伸部３６ｂから延伸部３６ｄに至るまでの経路である。屈曲部３６ｃは、内部を流れる気流の向きに、延伸部３６ｂ内部を流れる気流Ｂ６の向きと逆向きの成分が含まれるように、延伸部３６ｂから屈曲して接続されている。具体的には、屈曲部３６ｃは、延伸部３６ｂと成す角θ３が鋭角となるように、延伸部３６ｂと接続されている。
【０１４４】
さらに、屈曲部３６ｃは、内部を流れる気流の向きに、互いに逆向きの成分が含まれる形状である。具体的には、屈曲部３６ｃは一端から他端にかけて複数個所で屈曲しているジャバラ形状である。屈曲部３６ｃは、内側側面（Ｘ軸負側の側面）に鋭角である角θ４が形成され、外側側面（Ｘ軸正側の側面）に鋭角である角θ５が形成されるように、複数個所で屈曲している。
【０１４５】
延伸部３６ｄは、屈曲部３６ｃから吹き出し口２１ｄに至るまでの経路である。延伸部３６ｄはＸ軸正の向きに延伸している。延伸部３６ｄは、内部を流れる気流Ｄ６の向きに、屈曲部３６ｃ内部を流れる気流の向きと逆向きの成分が含まれるように、屈曲部３６ｃから屈曲して接続されている。具体的には、延伸部３６ｄは、屈曲部３６ｃと成す角θ６が鋭角となるように、屈曲部３６ｃから屈曲している。
【０１４６】
クロスフローファン２３が駆動することで、風路３６内に気流が発生し、吸い込み口２１ｃから空気Ａ６が流入し、延伸部３６ｂ内では延伸部３６ｂの延伸方向に沿ってＸ軸正の向きに気流Ｂ６が流れ、屈曲部３６ｃ内では屈曲形状に沿って気流Ｃ６１・６２・６３３が流れ、延伸部３６ｄ内では延伸部３６ｄの延伸方向に沿ってＸ軸正の向きに気流Ｄ６が流れる。
【０１４７】
屈曲部３６ｃを流れる気流Ｃ６１の向きは、Ｘ軸負の向きの成分と、Ｚ軸負の向きの成分とからなる。気流Ｃ６２の向きは、Ｘ軸正の向きの成分と、Ｚ軸負の向きの成分とからなる。気流Ｃ６３の向きは、Ｘ軸負の向きの成分と、Ｚ軸負の向きの成分とからなる。
【０１４８】
イオン発生装置１６によると、風路３６は、イオン発生部２５が配されている箇所から吹き出し口２１ｄに至る経路中に、風路３６の延伸方向に沿って風路３６内を流れる気流の向きが、逆向きとなる成分を含むように屈曲する部分である屈曲部３６ｃを有する。
【０１４９】
具体的には、風路３６は、イオン発生部２５が配されている箇所から吹き出し口２１ｄに至る経路中に、延伸部３１ｄを流れる気流Ｄ６とは逆向きの成分を有する向きである気流Ｃ６３・Ｃ６１が流れるように、延伸部３１ｄから屈曲する屈曲部３６ｃを有する。
【０１５０】
また、その気流Ｃ６３・Ｃ６１とは逆向きの成分を有する向きである気流Ｂ６が流れるように、屈曲部から屈曲する延伸部３６ｂを有する。
【０１５１】
このような風路３６の形状を有することで、イオン発生装置１６は、イオン発生装置１６が配されているイオン照射装置１内を水で洗浄した際の水滴が、吹き出し口２１ｄから風路３６内に進入したとしても、屈曲部３６ｃから上流側の延伸部３６ｂへ進入することを防止することができる。このように、イオン発生装置１６によると、屈曲部３６ｃの距離が比較的短くてもよく、イオン発生装置１６内の限られた空間であっても、水滴がイオン発生部２５に付着することを防止することができる。
【０１５２】
また、屈曲部３６ｃは、内部を流れる気流Ｃ６１・Ｃ６３と、気流Ｃ６２とに、互いに逆向きの成分が含まれる形状である。具体的には、屈曲部３６ｃは一端から他端にかけて複数個所で屈曲しているジャバラ形状である。屈曲部３６ｃは、内側側面（Ｘ軸負側の側面）に鋭角である角θ４が形成され、外側側面（Ｘ軸正側の側面）に鋭角である角θ５が形成されるように、複数個所で屈曲している。
【０１５３】
これによると、より確実に、吹き出し口２１ｄから風路３６内に進入した水滴がイオン発生部２５に付着することを防止することができる。
【０１５４】
〔実施形態７〕
本発明の実施形態７について、図１０〜図１３に基づいて説明すれば、以下のとおりである。なお、説明の便宜上、実施形態１〜６にて説明した部材と同じ機能を有する部材については、同じ符号を付記し、その説明を省略する。
【０１５５】
（イオン照射装置の比較例）
まず、図１０を用い、本実施形態に係るイオン照射装置の比較例について説明する。図１０は比較例に係るイオン照射装置の構成を表す断面図である。
【０１５６】
イオン照射装置１５１は、格納部１７１と、格納部１７１の側壁１７１ａに配された複数のイオン発生装置１７５とを有する。
【０１５７】
複数のイオン発生装置１７５のそれぞれは、コンテナ１６１に配されている食品１０３のそれぞれに正イオンおよび負イオンが照射されるように、正イオンおよび負イオンの吹き出し口を、格納部１７１の中心に向けて、側壁１７１ａの内面に固定されている。
【０１５８】
コンテナ１６１は格納部１７１内に格納されている。コンテナ１６１は、複数の棚１６４が配された多段のコンテナである。棚１６４のそれぞれに食品が配されている。
【０１５９】
イオン照射装置１５１によると、格納部１７１内に格納された食品１０３に向けて、それぞれのイオン発生装置１７５から正イオンおよび負イオンが照射される。これにより、食品１０３における菌の増殖を抑制したり、食品１０３の消費期限を延ばしたりすることができる。
【０１６０】
ここで、格納部１７１内には食品１０３を格納するため、メンテナンスのため水洗いする必要がある。
【０１６１】
しかし、格納部１７１内を水洗いすると、水滴や洗剤などが、複数のイオン発生装置１７５のそれぞれの吹き出し口から、それぞれのイオン発生装置１７５内へ進入する。
【０１６２】
このイオン発生装置１７５は、内部に、正イオンおよび負イオンを発生させるための基板及び電極を有しており、このイオン発生部に水滴や洗剤が付着すると、破損の原因となる。このため、格納部１７１内をメンテナンスするには、複数のイオン発生装置１７５を側壁１７１ａの内面から取り外す必要がある。
【０１６３】
しかし、複数のイオン発生装置１７５それぞれは、側壁１７１ａの内面に固定されているため、作業者は、格納部１７１内に入ってから、複数のイオン発生装置１７５それぞれを側壁１７１ａから取り外す必要があり、メンテナンスのたびに手間がかかるという課題が生じる。
【０１６４】
（イオン照射装置５１の構成）
次に、本実施の形態に係るイオン照射装置５１を説明する。図１１は、実施形態７に係るイオン照射装置５１の構成を表す断面図である。
【０１６５】
イオン照射装置５１は、コンテナ６１を内部に格納するための部屋である格納部７１と、格納部７１の側壁７１ａに配された複数の引き出し８１と、それぞれの引き出し８１に格納されたイオン発生装置７５とを有する。
【０１６６】
格納部７１の大きさは特に限定されるものではないが、中に作業者が入れる程度の大きさである。
【０１６７】
コンテナ６１は格納部７１内に格納されている。コンテナ６１は、複数の棚６４が配された多段のコンテナである。棚６４のそれぞれに、食肉などの食品３が配されている。コンテナ６１は格納部７１へ出し入れしやすいようにキャスターを備えている。
【０１６８】
引き出し８１は、格納部７１内から格納部７１外へ、および、格納部７１外から格納部７１内へスライドが可能であり、イオン発生装置７５を格納するための引き出しである。引き出し８１は、格納部７１の側壁７１ａに複数配されている。引き出し８１は、格納部７１の外から、作業者によって、スライドさせることができる。
【０１６９】
複数のイオン発生装置７５のそれぞれは、引き出し８１に格納された状態で、コンテナ６１に配されている食品３のそれぞれに正イオンおよび負イオンが照射されるように、正イオンおよび負イオンの吹き出し口を、格納部７１の中心に向けて、引き出し８１に格納されている。
【０１７０】
イオン照射装置５１によると、格納部７１内に格納された食品３に向けて、それぞれのイオン発生装置７５から正イオンおよび負イオンが照射される。これにより、食品３における菌の増殖を抑制したり、食品３の消費期限を延ばしたりすることができる。
【０１７１】
さらに、引き出し８１は、作業者が、格納部７１の外から格納部７１外へ引き出すことが可能となっている。これにより、格納部７１内をメンテナンスのため水洗いする際、作業者は、格納部７１外から引き出し８１を格納部７１外に引き出すことで、引き出し８１に格納されたイオン発生装置７５を取り外すことができる。このため、メンテナンスの際、水滴が付着するなどによりイオン発生装置７５が破損してしまうことを防止することができる。
【０１７２】
さらに、メンテナンスの際、作業者が格納部７１内に入ってイオン発生装置７５を取り外す必要がないため、作業効率を向上させることができる。
【０１７３】
（引き出し８１の構成）
図１２および図１３を用いて引き出し８１の構成について説明する。図１２は引き出し８１の構成を表す斜視図である。図１３は引き出し８１の構成を表す側面図である。
【０１７４】
引き出し８１は、載置部８２と、ルーバー（板状部材）８３と、駆動機構８４とを有する。格納部７１は、引き出し８１を配する箇所に、側壁７１ａから格納部７１の内側に屈曲し引き出し８１を載置するための載置部７１ｂを有する。引き出し８１は載置部７１ｂに沿って、格納部７１内から格納部７１外へ、また、格納部７１外から格納部７１内へスライドさせることが可能である。
【０１７５】
載置部８２は、イオン発生装置７５を載置するための底板８２ｄと、底板８２ｄから起立して底板８２ｄの一辺に沿って配されている前面８２ａおよび両側面８２ｂ・８２ｂを備えている。前面８２ａは、引き出し８１を格納部７１の側壁７１ａに挿入したときに、側壁７１ａと平行となり、格納部７１外に露出される面である。前面８２ａは載置部８２のうち作業者から見て手前に配される面である。前面８２ａには、作業者が引き出し８１をスライドさせるための取っ手８２ｅが配されている。
【０１７６】
側面８２ｂ・８２ｂのそれぞれは、互いに平行であり、それぞれの一端が前面８２ａと接続されており、他端が開放している。すなわち、載置部８２のうち前面８２ａとの対向面は側面８２ｂ・８２ｂおよび底板８２ｄによって区画されている開口部８２ｃとなっている。
【０１７７】
側面８２ｂ・８２ｂそれぞれの外側面には、ルーバー８３を回転させるための駆動機構８４が配されている。駆動機構８４は２個の回転軸８４ａ・８４ａと、ベルト８４ｂとを備えている。一方の回転軸８４ａは、側面８２ｂのうち前面８２ａ近傍である一端近傍に配されている。また、もう一方の回転軸８４ａは側面８２ｂのうちルーバー８３近傍である他端近傍に配されている。ベルト８４ｂは回転軸８４ａ・８４ａを覆うことで接続されている。ベルト８４ｂのうち、前面８２ａ近傍に配された一端は前面８２ａから露出している。
【０１７８】
ルーバー８３は、開口部８２ｃに配されている板状部材である。ルーバー８３は、一端が、両側面８２ｂ・８２ｂの他端間に配されている回転軸８４ａそれぞれと回転可能に接続されている。そしてルーバー８３のうち一端と対向する他端は、上記一端を中心に回転可能となっている。
【０１７９】
引き出し８１は、ベルト８４ｂのうち、前面８２ａから露出する一端部分を、作業者が上下方向（図１３に示す矢印Ｇの方向）スライドさせることで、ルーバー８３の他端は一端を中心に、矢印Ｈの方向に回転する。このようにして、ルーバー８３の、底板８２ｄと平行な面に対する傾斜角度δ調整することができる。
【０１８０】
このルーバー８３の傾斜角度δを調整することで、引き出し８１に格納したイオン発生装置７５から放出される正イオンおよび負イオンの向きを調整することができる。このため、効率よく、正イオンおよび負イオンを食品３に照射することができる。
【０１８１】
また、ベルト８４ｂのうち、前面８２ａ近傍に配された一端は前面８２ａから露出しているため、作業者は、格納部７１の外部から、ベルト８４ｂを回転させることで、ルーバー８３の傾斜角度δを調整することができる。これによると、効率よく、かつ、利便性よく、正イオンおよび負イオンを食品３に照射することができる。
【０１８２】
〔実施形態８〕
本発明の実施形態８について、図１４に基づいて説明すれば、以下のとおりである。なお、説明の便宜上、実施形態１〜７にて説明した部材と同じ機能を有する部材については、同じ符号を付記し、その説明を省略する。
【０１８３】
図１４の（ａ）は引き出し９１の骨組み部９２の構成を表す斜視図であり（ｂ）引き出し９１の載置部の構成を表す斜視図であり（ｃ）は引き出し９１の構成を表す断面図であり（ｄ）は引き出し９１の構成を表す正面図である。
【０１８４】
イオン照射装置５１は、引き出し８１に換えて引き出し９１を備えていてもよい。引き出し９１は、イオン発生装置７５を載置するための載置部９３と、載置部９３を支持するための骨組み部９２とを備えている。骨組み部９２は、前面９２ａと、両支持部９２ｂ・９２ｂとを備えている。一例として骨組み部９２は金属材料からなる。
【０１８５】
前面９２ａは、引き出し９１を格納部７１の側壁７１ａに挿入したときに、側壁７１ａと平行となり、格納部７１外に露出される面である。前面９２ａには取っ手９２ｅが設けられている。
【０１８６】
両支持部９２ｂ・９２ｂは、互いに平行であり、それぞれの一端が前面９２ａと接続されており、当該一端から他端にかけて線状に延伸している。支持部９２ｂそれぞれには載置部９３を載置するための凹部が設けられている。この凹部は、支持部９２ｂの延伸方向に沿って延伸している。
【０１８７】
載置部９３は、イオン発生装置７５が載置される底板９３ｄと、底板９３ｄから起立する側壁９３ｂ・９３ｂとを備えている。底板９３ｄと側壁９３ｂ・９３ｂとは網目状となっている。
【０１８８】
側面９３ｂ・９３ｂのそれぞれは、互いに平行である。前面９２ａと近い側に配される一端から逆側端部の他端にかけて延伸しており、当該他端間は開放している開口部９３ｃとなっている。なお、側面９３ｂ・９３ｂの一端間は開放していてもよいし、していなくてもよい。
【０１８９】
引き出し９１によると、載置部９３は、底板９３ｄと側壁９３ｂ・９３ｂとが網目状となっているため、載置部９３に載置されたイオン発生装置７５から延びる電気コードを、上記網目状の穴を通して、載置部９３内から載置部９３外へと引き出すことができる。なお、底板９３ｄと側壁９３ｂと側壁９３ｂとのうち何れかが網目状になっていればよい。
【０１９０】
さらに、引き出し９１によると、両支持部９２ｂ・９２ｂは、一端から他端にかけて線状に延伸しているため、板状に構成した場合と比べて体積が小さい。これにより、両支持部９２ｂ・９２ｂを金属材料から構成したとしても、イオン発生装置７５から放出される正イオンおよび負イオンの減少を抑制することができる。このため、効率よく、正イオンおよび負イオンを対象物に照射することができる。
【０１９１】
〔実施形態９〕
本発明の実施形態９について、図１５に基づいて説明すれば、以下のとおりである。なお、説明の便宜上、実施形態１〜８にて説明した部材と同じ機能を有する部材については、同じ符号を付記し、その説明を省略する。図１５は実施形態９に係るイオン照射装置５２の構成を表す断面図である。
【０１９２】
イオン照射装置５２は、格納部７１内を複数の空間に仕切る仕切り板７２を有し、複数のイオン発生装置７５に加え、ＵＶランプ７６、アルコール噴霧器７７、加湿器７８などを備えている点で、イオン照射装置５１と相違する。
【０１９３】
仕切り板７２は、格納部７１内に配されている。仕切り板７２によって、格納部７１内の空間は領域７１Ａと領域７１Ｂとに分離されている。図１５では、領域７１Ａは上段に配され、領域７１Ｂは下段に配されている。仕切り板７２の材質は特に限定されるものではなく、格納部７１内を複数の空間に仕切ることができればよい。また、仕切り板７２の枚数も１枚に限定されるものではなく、格納部７１内に複数枚配することで、格納部７１内の空間を３つ以上に分離してもよい。
【０１９４】
領域Ａ及び領域Ｂのそれぞれ内に含まれる側壁７１ａには、複数の引き出し８１が配されている。このように、領域Ａと領域Ｂが仕切り板７２で仕切られていることで、一つの格納部７１内において、異なる条件で食品３を保存したり、除菌および殺菌したりすることができる。
【０１９５】
領域Ａに配されている複数の引き出し８１のそれぞれには、イオン発生装置７５が配されている。これにより、領域Ａに配された食品３には、引き出し８１内のイオン発生装置７５から正イオンおよび負イオンが照射される。
【０１９６】
領域Ｂ内の複数の引き出し８１には、イオン発生装置７５とは異なる機能を有する装置を格納しておく。例えば、領域Ｂに配されている複数の引き出し８１のそれぞれには、ＵＶランプ７６や、アルコール噴霧器７７や、加湿器７８などを格納しておく。また、領域Ｂ内に、複数の棚６４それぞれに食品３が配されているコンテナ６２を格納しておく。
【０１９７】
領域Ｂでは、複数の引き出し８１それぞれに配されたＵＶランプ７６やアルコール噴霧器７７によりコンテナ６２内の食品３を除菌することができる。さらに、複数の引き出し８１それぞれに配された加湿器７８により領域Ｂ内を加湿することでコンテナ６２内の食品３の賞味期限を延ばしたりすることができる。
【０１９８】
このように、領域Ｂ内の引き出し８１には、領域Ｂを、使用用途に合わせて様々な使い方ができるように、種々の機能を実現する各種装置を格納する。なお、領域Ｂ内の引き出し８１のそれぞれにもイオン発生装置７５を格納してもよい。
【０１９９】
また、図示しないが、イオン照射装置５１は、引き出し８１に格納される各種装置に対応する電源を有する。当該電源は格納部７１内に設けてもよいし、格納部７１外に設けてもよい。引き出し８１のそれぞれに配されたイオン発生装置７５、ＵＶランプ７６、アルコール噴霧器７７、および加湿器７８は、上記電源を接続されており、当該電源から電力の供給を受ける。
【０２００】
上記電源は、イオン発生装置７５、ＵＶランプ７６、アルコール噴霧器７７、および加湿器７８など各種装置毎に個別に設けられてもよく、または、それぞれに共通する一つの電源として構成されていてもよい。
【０２０１】
または、引き出し８１に、当該引き出し８１に格納される装置（イオン発生装置７５、ＵＶランプ７６、アルコール噴霧器７７、または加湿器７８など）と対応する電源を設け、独立して当該装置に電力の供給が可能な構成としてもよい。これにより、引き出し８１を入れ換えるだけで、手軽に領域Ｂの用途を変更することができる。
【０２０２】
〔まとめ〕
本発明の態様１に係るイオン発生装置１１〜１６・１１ａは、筐体２１と、上記筐体２１内に設けられ、イオン（正イオンおよび負イオン）を発生させるイオン発生部２５と、上記イオン発生部２５から発生させたイオンを、上記筐体２１外に放出する風路３１〜３６とを備え、上記風路３１〜３６における、上記イオン発生部２５が配されている箇所から上記風路３２内を流れる気流の出口である吹き出し口２１ｄに至る経路は、上記風路３１〜３６内の上記気流の向きが、第１の向きとなるように延伸する第１経路（延伸部３１ｄ〜３３ｄ・湾曲部３４ｃ・３５ｄ・３６ｄ）と、当該第１の向きを構成する成分とは逆向きの成分を有する第２の向きとなるように延伸する第２経路（屈曲部３１ｃ・３２ｃ・湾曲部３３ｃ〜３５ｃ・屈曲部３６ｃ）とを含むことを特徴としている。
【０２０３】
上記構成によると、水滴が上記吹き出し口から上記風路内に進入したとしても、上記第２経路内に付着することになる。このため、上記水滴が、上記第２経路より上流に配されている上記イオン発生部に付着することを防止することができる。これにより、上記イオン発生部の破損を防止することができる。
【０２０４】
本発明の態様２に係るイオン発生装置１１〜１３・１５・１６・１１ａは、上記態様１において、上記風路３１〜３３・３５・３６における、上記イオン発生部２５が配されている箇所から上記吹き出し口２１ｄに至る経路は、上記吹き出し口２１ｄから上記イオン発生部２５が配されている箇所にかけて順に接続されている上記第１経路（延伸部３１ｄ〜３３ｄ・３５ｄ・３６ｄ）、上記第２経路（屈曲部３１ｃ・３２ｃ・３６ｃ・湾曲部３３ｃ・３５ｃ）、および第３経路（延伸部３１ｂ〜３３ｂ・３５ｂ・３６ｂ）を有し、
上記第２経路（屈曲部３１ｃ・３２ｃ・３６ｃ・湾曲部３３ｃ・３５ｃ）は、対向する両側面３１ｃ１・３１ｃ２を有し、両側面３１ｃ１・３１ｃ２の一端で上記第３経路（延伸部３１ｂ〜３３ｂ・３５ｂ・３６ｂ）と曲がって接続されており、他端で上記第１経路（延伸部３１ｄ〜３３ｄ・３５ｄ・３６ｄ）と曲がって接続されており、
上記両側面の一方の側面３１ｃ１における上記一端Ｐ１と、他方の側面３１ｃ２における他端Ｐ２とを結ぶ直線ＺＰ１は、上記第２経路（屈曲部３１ｃ・３２ｃ・３６ｃ・湾曲部３３ｃ・３５ｃ）の径方向の中心を通り上記第１の向きに垂直に交わる中心線Ｚ１に対し傾斜していることが好ましい。
【０２０５】
上記構成によると、上記吹き出し口から上記風路内に進入した水滴を、上記第２経路内に付着させることができる。これにより、上記第２経路より上流側に配されている上記イオン発生部に上記水滴が付着することを防止することができる。このため、上記イオン発生部の破損を防止することができる。
【０２０６】
本発明の態様３に係るイオン発生装置１３・１５は、上記態様２において、上記第２経路（湾曲部３３ｃ・３５ｃ）は、上記第１経路（延伸部３３ｄ・３６ｄ）および第３経路（延伸部３３ｂ・３６ｂ）と、湾曲して接続されていることが好ましい。これにより、第２経路が、第１経路および第３経路と屈曲して接続されている場合と比べて、上記第２経路における空気抵抗を低減することができる。このため、上記吹き出し口から放出される正イオンおよび負イオンの量が低下することを防止することができる。
【０２０７】
本発明の態様４に係るイオン発生装置１４・１５は、上記態様１において、上記風路３４・３５における、上記イオン発生部２５が配されている箇所から上記吹き出し口２１ｄに至る経路は、上記第１経路（湾曲部３４ｃ・延伸部３５ｄ）および上記第２経路（湾曲部３４ｃ・湾曲部３５ｃ）を含む螺旋形の経路を含むことが好ましい。
【０２０８】
上記構成により、上記イオン発生部が配されている箇所から上記吹き出し口に至る経路内の空気抵抗の増加を防止することができる。このため、上記吹き出し口から放出される正イオンおよび負イオンの量が低下することを防止することができる。
【０２０９】
本発明の態様５に係るイオン照射装置１は、上記態様１〜４に記載の上記イオン発生装置１１〜１６・１１ａと、上記イオン発生装置１１〜１６・１１ａが配され、内部に、上記イオンを照射する対象物を格納するための格納部と、を備えていることが好ましい。
【０２１０】
上記構成によると、上記格納部内をメンテナンスのため水洗いしても、上記イオン発生装置の破損を防止することができる。
【０２１１】
本発明の態様６に係るイオン発生装置１１・１１ａ・１２・１６は、上記態様２において、上記第２経路（屈曲部３１ｃ・３２ｃ・３６ｃ）は、上記第１経路（延伸部３１ｄ・３２ｄ・３６ｄ）および第３経路（延伸部３１ｂ・３２ｂ・３６ｂ）と、成す角θ１・θ２が鋭角となるように屈曲して接続されていることが好ましい。上記構成によると、より確実に、上記吹き出し口から進入した水滴が、上記イオン発生部に付着することを防止することができる。
【０２１２】
本発明の態様７に係るイオン発生装置１２は、上記態様６において、上記第１経路（延伸部３２ｄ）は、上記第２経路（屈曲部３２ｃ）と接続されている箇所から、上記第１の向きと逆向きに突出する突出部３２ｆを有し、上記第３経路（延伸部３２ｂ）は、上記第２経路（屈曲部３２ｃ）と接続されている箇所から、上記第３経路の延伸方向に流れる気流Ｂ２の向きに突出する突出部３２ｅを有してもよい。
【０２１３】
上記構成によると、上記第２経路に進入する気流は、上記第１経路の上記突出部に進入してから上記第２経路に進入するため、風量の低下を防止することができる。また、上記第２経路から流出した気流は、上記第３経路の上記突出部に進入してから上記第３経路の延伸方向に進むため、風量の低下を防止することができる。
【０２１４】
これにより、上記吹き出し口から放出される正イオンおよび負イオンの量が低下することを防止することができる。
【０２１５】
本発明の態様８に係るイオン発生装置１６は、上記態様６において、上記第２経路（屈曲部３６ｃ）は、上記一端から上記他端に至る経路中に、成す角θ４・θ５が鋭角となるように屈曲している箇所を複数有してもよい。上記構成によると、より確実に、上記吹き出し口から進入した水滴が、上記イオン発生部に付着することを防止することができる。
【０２１６】
本発明の態様１１に係るイオン照射装置５１は、吹き出し口からイオン（正イオンおよび負イオン）を放出するイオン発生装置７５と、内部に、上記イオンを照射する対象物（食品３）を格納するための格納部７１とを備え、上記格納部７１は、上記格納部７１内から上記格納部７１外へ向けて引き出すことが可能であり、上記イオン発生装置７５を格納するための引き出し８１・９１を有することを特徴としている。
【０２１７】
上記構成によると、上記格納部内をメンテナンスのため水洗いする際、上記格納部外から上記引き出しを上記格納部外に引き出すことで、当該引き出しに格納されたイオン発生装置を取り外すことができる。このため、メンテナンスの際、水滴が付着するなどにより上記イオン発生装置が破損してしまうことを防止することができる。
【０２１８】
さらに、メンテナンスの際、作業者が上記格納部内に入って上記イオン発生装置を取り外す必要がないため、作業効率を向上させることができる。
【０２１９】
本発明の態様１２に係るイオン照射装置５１は、上記態様１１において、上記引き出し８１は、上記格納部７１の側壁７１ａに挿入したときに、当該側壁７１ａと平行となり、上記格納部７１外に露出される前面８２ａと、互いに平行であり、それぞれの一端が上記前面８２ａと接続されており、他端が開放している両側面８２ｂ・８２ｂと、一端が、上記両側面８２ｂ・８２ｂの上記他端間に回転可能に接続されており、他端が、上記一端を中心に回転可能な板状部材（ルーバー８３）とを備えていることが好ましい。
【０２２０】
上記構成によると、上記板状部材の角度を調整することで、上記引き出しに格納した上記イオン発生装置から放出される正イオンおよび負イオンの向きを調整することができる。このため、効率よく、正イオンおよび負イオンを上記対象物に照射することができる。
【０２２１】
本発明の態様１３に係るイオン照射装置５１は、上記態様１２において、上記引き出し８１は、上記両側面８２ｂ・８２ｂのそれぞれに配され、一端が上記前面８２ａから露出し、他端が、上記板状部材（ルーバー８３）の上記一端が接続されている回転軸８４ａと接続されているベルト８４ｂを備えていてもよい。上記構成により、作業者は、上記格納部の外部から、上記ベルトを回転させることで、上記板状部材の角度を調整することができる。これによると、効率よく、かつ、利便性よく、正イオンおよび負イオンを上記対象物に照射することができる。
【０２２２】
本発明の態様１４に係るイオン照射装置５１は、上記態様１１において、上記引き出し９１は、上記イオン発生装置７５を載置するための載置部９３と、上記載置部９３を支持するための骨組み部９２とを備え、上記骨組み部９２は、上記引き出し９１を上記格納部７１の側壁７１ａに挿入したときに、当該側壁７１ａと平行となり、上記格納部７１ａ外に露出される前面９２ａと、互いに平行であり、それぞれの一端が上記前面９２ａと接続されており、当該一端から他端にかけて線状に延伸し、上記載置部９３を載置するための凹部を有する支持部９２ｂとを備え、上記載置部９３は、上記イオン発生装置７５が載置される底板９３ｄと、当該底板９３ｄから起立する側壁９３ｂとを備え、上記底板９３ｄと上記側壁９３ｂとの少なくとも一方が網目状となっていることが好ましい。
【０２２３】
上記構成によると、上記載置部は、上記底板と上記側壁との少なくとも一方が網目状となっているため、上記載置部に載置されたイオン発生装置から延びる電気コードを、上記網目状の穴を通して、上記載置部内から載置部外へと引き出すことができる。
【０２２４】
さらに、上記構成によると、上記支持部は、当該一端から他端にかけて線状に延伸しているため、板状に構成した場合と比べて体積が小さい。これにより、上記支持部を金属材料から構成したとしても、イオン発生装置から放出される正イオンおよび負イオンの減少を抑制することができる。このため、効率よく、正イオンおよび負イオンを対象物に照射することができる。
【０２２５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２２６】
本発明は、イオン発生装置およびイオン照射装置に利用することができる。
【符号の説明】
【０２２７】
１  イオン照射装置
３  食品
５  内壁
５ａ  開口部
６  外壁
１１〜１６・１１ａ  イオン発生装置
２１  筐体
２３  クロスフローファン
２５  イオン発生部
２７  ルーバー
３１〜３６  風路
３１ａ〜３６ａ  延伸部
３１ｂ〜３６ｂ  延伸部（第３経路）
３１ｃ・３２ｃ  屈曲部（第２経路）
３１ｄ〜３３ｄ・３５ｄ・３６ｄ  延伸部（第１経路）
３４ｃ  湾曲部（第１経路・第２経路）
３４ｄ  延伸部
３２ｅ  突出部
３２ｆ  突出部
５１・５２  イオン照射装置
６１・６２  コンテナ
７１  格納部
７１Ａ  領域
７１Ｂ  領域
７１ａ  側壁
７１ｂ  載置部
７５  イオン発生装置
７６  ＵＶランプ
７７  アルコール噴霧器
７８  加湿器
８２  載置部
８２ａ  前面
８２ｂ  側面
８２ｄ  底板
８３  ルーバー
８４  駆動機構
８４ａ  回転軸
８４ｂ  ベルト
９２ａ  前面
９２ｂ  支持部
９３  載置部
９３ｂ  側壁
９３ｃ  開口部
９３ｄ  底板
【図１】
2015201277.tif 000003
【図２】
2015201277.tif 000004
【図３】
2015201277.tif 000005
【図４】
2015201277.tif 000006
【図５】
2015201277.tif 000007
【図６】
2015201277.tif 000008
【図７】
2015201277.tif 000009
【図８】
2015201277.tif 000010
【図９】
2015201277.tif 000011
【図１０】
2015201277.tif 000012
【図１１】
2015201277.tif 000013
【図１２】
2015201277.tif 000014
【図１３】
2015201277.tif 000015
【図１４】
2015201277.tif 000016
【図１５】
2015201277.tif 000017
【図１６】
2015201277.tif 000018
【図１７】
2015201277.tif 000019
【図１８】
2015201277.tif 000020
【図１９】
2015201277.tif 000021